(57)【要約】【課題】使用済遊技機の使用目的に合わせた再使用化を図る。【解決手段】遊技店３において使用済遊技機に関する情報をコンピュータ６からインターネット７で使用済遊技機交換センター２のコンピュータ５に送信し、使用済遊技機交換センター２のコンピュータ５が受信した使用済遊技機に関する情報を売買データベース９に蓄積するとともに使用済遊技機交換センター２のホームページ８としてインターネット７で公開し、遊技機製造会社１においてインターネット７で公開された使用済遊技機に関する情報をコンピュータ４で取得して買取意思の有る場合に買取意思を上記インターネット７で公開されている使用済遊技機交換センター２のホームページ８に表示し、使用済遊技機に対する遊技店３と遊技機製造会社１との売買契約が成立すると、遊技店３から遊技機製造会社１に使用済遊技機を運搬する。【選択図】        図１
2004213192.tif 000002
【特許請求の範囲】
【請求項１】
遊技機製造会社、使用済遊技機管理センター、遊技店にコンピュータを個別に設置し、これらの拠点に設置されたコンピュータをインターネットで接続し、遊技店において使用済遊技機に関する情報をコンピュータからインターネットで使用済遊技機管理センターのコンピュータに送信し、使用済遊技機管理センターのコンピュータが受信した使用済遊技機に関する情報を売買データベースに蓄積するとともにホームページとしてインターネットで公開し、遊技機製造会社のコンピュータがインターネットで公開された使用済遊技機に関する情報を取得し、遊技機製造会社が買取意思の有る場合にコンピュータで買取意思を上記インターネットで公開されている使用済遊技機管理センターのホームページに表示し、使用済遊技機に対する遊技店と遊技機製造会社との売買契約が成立すると、遊技店から遊技機製造会社に使用済遊技機を運搬する使用済遊技機の回収方法。
【請求項２】
使用済遊技機を売りたい遊技店と使用済遊技機を買いたい遊技機製造会社との仲立ちをするために、遊技店からの売却を希望する使用済遊技機の情報をホームページで公開する一方、遊技機製造会社からの買取意志を上記ホームページに表示し、上記遊技店と上記遊技機製造会社との売買契約成立で上記ホームページから使用済遊技機の情報を削除する施設であることを特徴とする請求項１記載の使用済遊技機の回収方法に使用する使用済遊技機管理センター。
【発明の詳細な説明】
【０００１】
【発明の属する技術分野】
本発明は使用済遊技機の回収方法および当該方法に使用する使用済遊技機管理センターに関する。
【０００２】
【従来の技術】
特開平１０−１１３６４６号公報で使用済遊技機のリサイクル方法が開示されている。その方法は使用済遊技機を乾留処理した後に破砕し、その破砕片から磁気を利用して鉄系金属を除去し、その鉄軽金属の取り除かれた破砕片を圧縮することにより、その圧縮工程で発生する熱で破砕片中の熱可塑性合成樹脂を軟化させるとともに破砕片の容積を圧縮して塊状の減容固化体を形成し、その減容固化体をロータリーキルンに投入して燃焼し、その燃焼灰をロータリーキルンで消石灰、酸化鉄、粘土などの主原料と一緒にセメントクリンカーとして焼き締めている（例えば、特許文献１参照）。また、遊技機製造会社は製造した遊技機の１台ごとに製造番号や管理番号などのような遊技機個々を表す遊技機情報を付し、遊技機を販売する場合に遊技機に付与された遊技機情報と販売先の遊技店個々を表す遊技店情報と販売日とをコンピュータに入力し、コンピュータで遊技機情報と遊技店情報と販売日とを対応付けたデータベースを作成し、当該データベースでどの遊技機がどの遊技店にいつ納入されたかを管理している。
【０００３】
【特許文献１】
特開平１０−１１３６４６号公報（第１頁、要約、図１）
【０００４】
【発明が解決しようとする課題】
しかしながら、前記使用済遊技機をセメント生成に利用する従来例は、使用済遊技機の数量が年間数百万台と多いことからセメント生成に利用するにも、限度があるという問題点があった。また、遊技機製造会社で製造した遊技機を管理する従来例は、納入した後における遊技機の移動を総体的に管理していないのが実状である。そして、遊技店が使用済遊技機を倉庫に保管して廃棄する時期を待つ間に、中古業者が遊技店の倉庫に眠っている使用済遊技機の一部を中古台として買い取ることもあるが、遊技店の倉庫に眠っている使用済遊技機の大半は中古台市場で中古台としての価値がなく人知れず破棄されているという問題点があった。
【０００５】
本発明は使用済遊技機を使用目的に合わせて再使用することができる使用済遊技機の回収方法および当該方法に使用する使用済遊技機管理センターを提供するものである。
【０００６】
【課題を解決するための手段】
本発明に係る使用済遊技機の回収方法にあっては、遊技機製造会社、使用済遊技機管理センター、遊技店にコンピュータを個別に設置し、これらの拠点に設置されたコンピュータをインターネットで接続し、遊技店において使用済遊技機に関する情報をコンピュータからインターネットで使用済遊技機管理センターのコンピュータに送信し、使用済遊技機管理センターのコンピュータが受信した使用済遊技機に関する情報を売買データベースに蓄積するとともにホームページとしてインターネットで公開し、遊技機製造会社のコンピュータがインターネットで公開された使用済遊技機に関する情報を取得し、遊技機製造会社が買取意思の有る場合にコンピュータで買取意思を上記インターネットで公開されている使用済遊技機管理センターのホームページに表示し、使用済遊技機に対する遊技店と遊技機製造会社との売買契約が成立すると、遊技店から遊技機製造会社に使用済遊技機を運搬することによって、使用済遊技機を使用目的に合わせて再使用することができる。また、本発明に係る使用済遊技機の回収方法に使用する使用済遊技機管理センターにあっては、使用済遊技機を売りたい遊技店と使用済遊技機を買いたい遊技機製造会社との仲立ちをするために、遊技店からの売却を希望する使用済遊技機の情報をホームページで公開する一方、遊技機製造会社からの買取意志を上記ホームページに表示し、上記遊技店と上記遊技機製造会社との売買契約成立で上記ホームページから使用済遊技機の情報を削除する施設であれば、使用済遊技機を売りたい遊技店と使用済遊技機を買いたい遊技機製造会社とで売買に関する価格を収集しやすくなる。
【０００７】
【発明の実施の形態】
図１および図２は一実施形態であって、図１は使用済遊技機の回収方法を示し、図２は使用済遊技機の回収方法の処理手順を示す。使用済遊技機回収方法は遊技機製造会社１、使用済遊技機管理センター２、遊技店３にコンピュータ４；５；６を個別に設置し、これらの拠点に設置されたコンピュータ４−６をインターネット７で接続する。そして、遊技店３において使用済遊技機に関する情報をコンピュータ６に入力し、当該入力した使用済遊技機に関する情報を遊技店３のコンピュータ６からインターネット７で使用済遊技機管理センター２のコンピュータ５に送信し、使用済遊技機管理センター２のコンピュータ５が受信した使用済遊技機に関する情報を売買データベース９に蓄積するとともに使用済遊技機管理センター２のホームページ８としてインターネット７で公開し、遊技機製造会社１においてインターネット７で公開された使用済遊技機に関する情報をコンピュータ４で取得して買取意思の有る場合に買取意思を上記インターネット７で公開されている使用済遊技機管理センター２のホームページ８に表示し、使用済遊技機に対する遊技店３と遊技機製造会社１との売買契約が成立すると、遊技店３から遊技機製造会社１に使用済遊技機を運搬する。
【０００８】
使用済遊技機管理センター２は使用済遊技機を売りたい遊技店３と使用済遊技機を買いたい遊技機製造会社１との仲立ちをするために、遊技店３からの売却を希望する使用済遊技機の情報をホームページ８で公開する一方、遊技機製造会社１からの買取意志を上記ホームページ８に表示し、上記遊技店３と上記遊技機製造会社１との売買契約成立で上記ホームページ８から使用済遊技機の情報を削除する施設である。
【０００９】
具体的には、図２に示すように、遊技店３ではステップ１０１においてコンピュータ６を操作し自らの管理に係る使用済遊技機に関する情報をインターネット７で使用済遊技機管理センター２のコンピュータ５に送信する。その遊技店３から使用済遊技機管理センター２に送られる情報は、遊技店名、担当者名、住所、電話番号、ＦＡＸ番号、メールアドレス、売却を希望する使用済遊技機の枠製造番号、売却を希望する使用済遊技機の盤製造番号、売却を希望する使用済遊技機の制御基板管理番号、売却を希望する使用済遊技機の遊技機製造会社名、売却を希望する使用済遊技機の遊技機型式名、売却を希望する使用済遊技機の状況（遊技盤だけか、遊技機枠だけかなどの売却可能状況）、売却を希望する使用済遊技機の導入年月日、売却を希望する使用済遊技機の回収希望日、売却を希望する使用済遊技機の回収場所、売却を希望する使用済遊技機の希望売却金額、金銭の支払方法などである。遊技機製造会社名や遊技機型式名だけでなく、枠製造番号と盤製造番号および制御基板管理番号を提示することで、遊技機製造会社は使用済遊技機に使用されている部品の再使用可能性について詳細な情報を得ることができる。
【００１０】
前記遊技店３からの情報を入手した使用済遊技機管理センター２ではステップ１０２に示すようにコンピュータ５を操作し、当該入手した遊技店３からの情報をコンピュータ５に売買データベース９として構築（登録）し、それらを終了すると、遊技店３のコンピュータ６に対しインターネット７で遊技店識別コードを送信する。それと並行し、使用済遊技機管理センター２ではステップ１０３においてコンピュータ５を操作し、構築した売買データベース９に基づきホームページ８を作成してインターネット７で一定期間公開するとともに、使用済遊技機管理センター２に遊技機製造会社１として登録されている遊技機製造会社１に案内メールをＦＡＸや電子メールまたは手紙などで送付する。使用済遊技機管理センター２におけるホームページ８は使用済遊技機の売買物件名欄、遊技機製造会社の業者紹介欄、遊技機製造会社の業者要望欄、売買成立欄などから構成される。
【００１１】
当該ホームページ８の閲覧は使用済遊技機管理センター２との間で会員番号と暗証番号とで会員として成立している遊技機製造会社１による買取メンバーに限定する。この買取メンバーになることを希望する遊技機製造会社１が使用済遊技機管理センター２に買い取った使用済遊技機の処理を適正に行うことができることを証明し、使用済遊技機管理センター２が承認した場合に遊技機製造会社１に会員番号と暗証番号とを付与することで、遊技機製造会社１が買取メンバーになる。
【００１２】
使用済遊技機管理センター２のホームページ８から買取を希望する遊技機製造会社１ではコンピュータ４；１１を操作し買取を希望する使用済遊技機の買取価格、買取を希望する使用済遊技機の枠製造番号、買取を希望する使用済遊技機の盤製造番号、買取を希望する使用済遊技機の制御基板管理番号、買取を希望する使用済遊技機の遊技機製造会社名、買取を希望する使用済遊技機の遊技機型式名をホームページ８の業者要望欄に登録する（ステップ１０４がＹＥＳおよびステップ１０５；１０６参照）。これによって、遊技機製造会社１は再使用部品を希望する価格で収集しやすくなる。使用済遊技機管理センター２では遊技機製造会社１の提示した買取希望価格が遊技店３の希望販売価格よりも高ければ、そのまま或る期間保持し、その期間にそれ以上の買取希望価格がなければ、遊技機製造会社１への売買契約が成立したことと買手識別コードとをホームページ８の売買成立欄に記入し表示する（ステップ１０７がＹＥＳおよびステップ１０８参照）。売買が成立しなければ、ステップ１１３で一定期間が経過しているか否かを判断し、一定期間が経過していなければステップ１１４で遊技店３に売価を変更するか否かを問い合わせする。また、売買が成立しないまま一定期間が経過すれば（ステップ１１３ＹＥＳ）、ステップ１１５で遊技店３へ売買不成立の通知を行い、ステップ１１６でホームページ８から使用済遊技機に関する情報を削除する。
【００１３】
遊技店３が使用済遊技機管理センター２に使用済遊技機の売却を希望した後にその売却希望を取り消す場合、遊技店３が使用済遊技機管理センター２にＦＡＸや電子メールまたは手紙で登録抹消届を提出する。この登録抹消届を受け取った場合、使用済遊技機管理センター２は登録抹消届を提出した遊技店３に確認するためにその確認を遊技店３のコンピュータ６に送信し、遊技店３からの確認応答があった場合にその時点でホームページ８から使用済遊技機に関する情報を抹消する。遊技店３が使用済遊技機管理センター２に使用済遊技機の売却を希望した後にその売却金額を変更する場合、遊技店３が使用済遊技機管理センター２にＦＡＸや電子メールまたは手紙で変更届を提出する。
【００１４】
この変更届を受け取った場合、使用済遊技機管理センター２は変更届を提出した遊技店３に確認するためにその確認を遊技店３のコンピュータ６に送信し、遊技店３からの確認応答があった場合にその時点でホームページ８の売却金額を変更する。使用済遊技機管理センター２では使用済遊技機の売買が成立するまで所定期間ホームページ８を表示する。遊技店３と遊技機製造会社１との間における使用済遊技機の回収に際しては、使用済遊技機管理センター２から回収業者に回収伝票が発行されており、この回収伝票の写しを回収業者が遊技店に受け渡し、遊技店３が回収伝票の写しを受け取ることで使用済遊技機の出荷が証明される（ステップ１０９；１１０；１１１；；１１２参照）。
【００１５】
よって、本実施形態によれば、遊技機製造会社１と使用済遊技機管理センター２および遊技店３の共同によって、使用済遊技機管理センター２が仲立ちすることで、遊技機製造会社１と遊技店３との間でインターネット７を利用して使用済遊技機を商品として公正に取り引きすることができ、遊技機製造会社１では遊技店３から使用済遊技機を集荷し、その使用済遊技機に付いている部品を使用目的に合わせて再使用することで、産業廃棄物の量を削減することができる。しかも、遊技店３では中古業者も買い取らない中古台市場で価値の無くなった使用済遊技機も商品として遊技機製造会社１に引き取ってもらえる可能性があるので、中古台市場で価値の無くなった使用済遊技機が人知れず破棄されていた不都合も解消することができる。
【００１６】
遊技店３が中古台を中古業者から購入し、その際、中古業者が使用済遊技機を下取りすることがあるが、その下取りした使用済遊技機が中古台である場合、その下取台は中古台としての市場価値がなく、中古市場で取り引きされることはないけれども、その市場価値の無い中古台の遊技機製造会社１が部品再使用の立場から買い取ることがある。このような場合、遊技店３から下取りをした使用済遊技機を保有する中古業者が図１の遊技店３の役割を担うことがある。この場合、図１の遊技店３を中古業者と読み替え、コンピュータ６を中古業者のコンピュータと読み替えることで、同様に適用することができる。
【図面の簡単な説明】
【図１】一実施形態の使用済遊技機回収方法を示す模式図。
【図２】同実施形態の使用済遊技機回収方法を示すフローチャート。
【符号の説明】
１  遊技機製造会社
２  使用済遊技機管理センター
３  遊技店
４；５；６；１１  コンピュータ
７  インターネット
８  ホームページ
９  売買データベース
１０  中古業者
【図１】
2004213192.tif 000003
【図２】
2004213192.tif 000004